(57)【要約】【課題】化学反応により得られた化学物質を削減した防カビ紙、および、防カビ紙の製造方法を提供する。【解決手段】防カビ紙は、紙１の少なくとも片面に、よもぎ抽出物、および、２−メトキシカルボニルアミノ−ベンゾイミダゾールを含有した塗布膜２が、形成されている。また、塗布膜は、樹脂成分を含有している。そして、防カビ紙の製造方法は、紙の少なくとも片面に、よもぎ抽出物、および、２−メトキシカルボニルアミノ−ベンゾイミダゾールを含有する塗布液を塗布する。また、塗布液には更に樹脂成分が含有されている。【選択図】図１
2014231659.tif 000002
【特許請求の範囲】
【請求項１】
紙の少なくとも片面に、よもぎ抽出物、および、２−メトキシカルボニルアミノ−ベンゾイミダゾールを含有した塗布膜が、形成されていることを特徴とする防カビ紙。
【請求項２】
前記塗布膜が、樹脂成分を含有していることを特徴とする請求項１に記載の防カビ紙。
【請求項３】
紙の少なくとも片面に、よもぎ抽出物、および、２−メトキシカルボニルアミノ−ベンゾイミダゾールを含有する塗布液を塗布することを特徴とする防カビ紙の製造方法。
【請求項４】
前記塗布液が、樹脂成分を含有していることを特徴とする請求項３に記載の防カビ紙の製造方法。
【発明の詳細な説明】
【技術分野】
【０００１】
本発明は、防カビ紙、および、防カビ紙の製造方法に関するものである。
【背景技術】
【０００２】
カビの発生を抑制した防カビ紙は、一般的には抄造時に防カビ剤を配合している。小ロットで製造するとコスト高になるために、大量の防カビ紙を製造することになり、小ロット生産が難しい現状である。
【０００３】
また、抄造時に防カビ剤を配合するため、大量の防カビ剤を使用する必要があり、高価な防カビ剤が大量に使用されている。そのため、防カビ剤を含浸させたり、塗布したりして製造する防カビ紙もある。
【０００４】
例えば、紙の少なくとも片面に、ｐ−ヒドロキシ安息香酸エステルと脂肪族多価アルコールとを少なくとも含む塗布液を、塗布した防カビ効果を有する抗菌紙がある（特許文献１）。
【０００５】
また、セルロース繊維を主成分とする基紙上に、少なくともスルホンアミド系化合物が塗布され、スルホンアミド系化合物がＮ，Ｎ−ジメチルフェニルスルホンアミドである防カビ紙もある（特許文献２）。
【０００６】
これらは、化学反応により得られた化学物質を用いているので、人体に対して少なからず影響を及ぼすことが懸念される。例えば、石鹸を包装する場合の包装紙や紙箱に用いると、石鹸に化学物質が移行して、その石鹸を使用することによって、肌に影響を与えるのではないかなど抵抗がある。そこで、化学物質の使用を低減した防カビ紙が求められている。
【０００７】
公知文献を以下に示す。
【先行技術文献】
【特許文献】
【０００８】
【特許文献１】特開２０００−２４８４９５号公報
【特許文献２】特開２００４−６８２１８号公報
【発明の概要】
【発明が解決しようとする課題】
【０００９】
本発明は上記した事情に鑑みてなされたもので、化学反応により得られた化学物質を削減した防カビ紙、および、防カビ紙の製造方法を提供することを課題としている。
【課題を解決するための手段】
【００１０】
本発明は係る課題に鑑みなされたものであり、請求項１の発明は、紙の少なくとも片面に、よもぎ抽出物、および、２−メトキシカルボニルアミノ−ベンゾイミダゾールを含有した塗布膜が、形成されていることを特徴とする防カビ紙である。
【００１１】
本発明の請求項２の発明は、前記塗布膜が、樹脂成分を含有していることを特徴とする請求項１に記載の防カビ紙である。
【００１２】
本発明の請求項３の発明は、紙の少なくとも片面に、よもぎ抽出物、および、２−メト
キシカルボニルアミノ−ベンゾイミダゾールを含有する塗布液を塗布することを特徴とする防カビ紙の製造方法である。
【００１３】
本発明の請求項４の発明は、前記塗布液が、樹脂成分を含有していることを特徴とする請求項３に記載の防カビ紙の製造方法である。
【発明の効果】
【００１４】
本発明の防カビ紙、および、防カビ紙の製造方法によれば、よもぎ抽出物を用いることによって、化学反応により得られた化学物質の量を削減することができる。そのため、人体に対して影響を及ぼす恐れがない。
【図面の簡単な説明】
【００１５】
【図１】本発明の防カビ紙の一例を模式的に断面で示した説明図である。
【図２】本発明の防カビ紙の他の例を模式的に断面で示した説明図である。
【発明を実施するための形態】
【００１６】
以下、本発明を実施するための形態につき説明する。
図１は、本発明の防カビ紙の一例を模式的に断面で示した説明図である。
【００１７】
図１のように、本例の防カビ紙は、紙１の片面に、塗布膜２が設けられている。塗布膜２には、少なくとも、よもぎ抽出物、および、２−メトキシカルボニルアミノ−ベンゾイミダゾールが含有されている。また、更に樹脂成分を含有していても良い。
【００１８】
よもぎ抽出液とは、キク科ヨモギ属の多年生植物の葉から抽出した液であり、抽出方法としては、水蒸気蒸留、湯煎、溶媒抽出、クロマトグラフィーなどが可能であり、また、キク科ヨモギ属の多年生植物としては、オオヨモギ、ハマヨモギ、カワラヨモギなどが挙げられる。主なる防カビ成分としては、テルペノイドが挙げられるが、その他多くの成分が混合して防カビ効果を生ずる。
【００１９】
この抽出液に対して、２−メトキシカルボニルアミノ−ベンゾイミダゾールを添加して用いる。塗布液にするために樹脂成分を添加することが好ましい。樹脂成分としては、アクリル共重合体エマルジョンや、スチレン・アクリル共重合体エマルジョンを用いることができる。また、疎水性粒子ポリグリコール混合体を添加することができる。また、溶剤としては、水とアルコールの混合溶剤を用いて水系の塗布液とするのが好ましい。
【００２０】
このような塗布液を紙に塗布して乾燥させ、塗布膜を形成させて、防カビ紙を作成する。この本発明の防カビ紙は、主成分はよもぎ抽出液であり、化学反応により得られた化学物質の２−メトキシカルボニルアミノ−ベンゾイミダゾールの使用量を抑えることができ、人体に対して悪影響を及ぼす恐れがない。
【００２１】
塗布方法として、公知の塗布方法が使用できる。例えば、グラビアコーター、ロールコーター、ダイコーター等を用いて紙１の表面に塗布し、次いで乾燥させることで塗布膜を形成させることができる。
【００２２】
本例では、紙１の片面に塗布膜２を設けたが、図２のように、紙１の両面に塗布膜２を設けても良い。
【実施例】
【００２３】
以下に、本発明の具体的実施例について説明する。
【００２４】
＜実施例１＞
防カビ剤の塗布液として、重量％で、よもぎ抽出液５％、２−メトキシカルボニルアミノ−ベンゾイミダゾール０．０７％、アクリル共重合体エマルジョン７０％、スチレン・アクリル共重合体エマルジョン８％、疎水性粒子ポリグリコール混合体０．３％、残りを水６重量部とイソプロピルアルコール１０重量部の溶剤となるように混合して塗布液１を作成した。
【００２５】
この塗布液１を＃３のザーンカップで１６〜１７になるように水６重量部とイソプロピルアルコール１０重量部の溶剤で調整して、紙１の片面に塗布し、乾燥させ、実施例１の防カビ紙を作成した。
【００２６】
＜実施例２＞
２−メトキシカルボニルアミノ−ベンゾイミダゾールの配合量を０．１３％とした以外は、実施例１と同様にして塗布液２を作成し、また、この塗布液２を同様にして紙１の片面に塗布し、乾燥させ、実施例２の防カビ紙を作成した。
【００２７】
以下に、本発明の比較例について説明する。
【００２８】
＜比較例１＞
化学反応により得られた化学物質の防黴剤が塗布された市販の防カビ紙を使用し、比較例１の防カビ紙とした。
【００２９】
＜比較例２＞
防カビ剤の塗布液を塗布しない紙１を比較例２の防カビ紙とした。
【００３０】
＜試験方法＞
実施例と比較例の防カビ紙をＪＩＳ  Ｚ２９１１「かび抵抗性試験方法」に準じ、カビ発生の有無を４週間保存して比較評価した。
【００３１】
＜比較結果＞
実施例１、実施例２の防カビ紙は、比較例１の市販の防カビ紙と同様にカビの発育の阻止が認められ、同等の効果があることが判った。一方、防カビ剤の塗布液を塗布しない比較例２では紙自体がカビに覆われていた。
【００３２】
以上のように、本発明の防カビ紙は、化学反応により得られた化学物質を削減して市販の防カビ紙と同等のかび抵抗性が得られた。このように、化学物質の使用を低減できるので人体に対する影響を懸念する必要がない。また、塗布により製造できるので、さまざまな紙に使用することができ、小ロット生産にも対応できる。
【符号の説明】
【００３３】
１・・・紙
２・・・塗布膜
【図１】
2014231659.tif 000003
【図２】
2014231659.tif 000004